(57)【要約】【課題】鉄心本体の巻回空間を増加させて実用性を向上させ、コストを削減するコモンモードフィルタを提供する。【解決手段】鉄心本体３０およびコイルユニット４を含む。鉄心本体３０は、両方の端部に側部３１をそれぞれ設けている。各側部３１が第１の外側凸部３２、第２の外側凸部３３および少なくとも一つの中間凸部３４を設け、少なくとも一方の側部３１の中間凸部３４および第２の外側凸部３３の幅が第１の外側凸部３２より狭い。コイルユニット４は、鉄心本体３０に巻設されている。【選択図】図３
0003178841.tif 000002
【実用新案登録請求の範囲】
【請求項１】
両方の端部に側部をそれぞれ設け、前記各側部が第１の外側凸部、第２の外側凸部および少なくとも一つの中間凸部を設け、前記少なくとも一方の側部の前記中間凸部および前記第２の外側凸部の幅が前記第１の外側凸部より狭い鉄心本体と、
前記鉄心本体に巻設されたコイルユニットと、を含むことを特徴とするコモンモードフィルタ。
【請求項２】
前記第２の外側凸部は、幅が中間凸部と同一であることを特徴とする請求項１に記載のコモンモードフィルタ。
【請求項３】
前記第２の外側凸部は、幅が中間凸部より狭いことを特徴とする請求項１に記載のコモンモードフィルタ。
【請求項４】
前記コイルユニットは、第１のコイル、第２のコイルおよび少なくとも一つ第３のコイルを有し、前記第１の外側凸部、前記第２の外側凸部および前記中間凸部の頂部に半田が配置されていることを特徴とする請求項１に記載のコモンモードフィルタ。
【考案の詳細な説明】
【技術分野】
【０００１】
本考案は、コモンモードフィルタに関し、特に、鉄心本体の巻回空間を増加させて実用性を向上させ、コストを削減するコモンモードフィルタに関する。
【背景技術】
【０００２】
図１を参照する。図１は、従来技術によるコモンモードフィルタを示す図である。図１に示すように、従来技術によるコモンモードフィルタは、鉄心本体１０を含む。鉄心本体１０は、両方の端部に第１の側部１１および第２の側部１６をそれぞれ設けている。第１の側部１１は、少なくとも三つの凸部１２、１３、１４を設け、凸部１２、１３、１４の頂部にそれぞれ半田１５が配置されている。半田１５は、半田ペーストである。第２の側部１６は、少なくとも三つの凸部１７、１８、１９を設け、凸部１７、１８、１９の頂部にそれぞれ半田２０が配置されている。半田２０は、半田ペーストである。鉄心本体１０は、少なくとも三つの２１、２２、２３により巻回されている。２１は、一方の端部が第１の側部１１の凸部１４の半田１５に半田けされ、もう一方の端部が第２の側部１６の凸部１９の半田２０に半田付けされている。２２は、一方の端部が第１の側部１１の凸部１３の半田１５に半田けされ、もう一方の端部が第２の側部１６の凸部１８の半田２０に半田付けされている。２３は、一方の端部が第１の側部１１の凸部１２の半田１５に半田けされ、もう一方の端部が第２の側部１６の凸部１７の半田２０に半田付けされている。以上のように、従来のコモンモードフィルタの鉄心本体１０は、両端に第１の側部１１および第２の側部１６をそれぞれ設け、第１の側部１１が少なくとも三つの凸部１２、１３、１４を設け、第２の側部１６が少なくとも三つの凸部１７、１８、１９を設け、第１の側部１１と第２の側部１６との間にコイル２１、２２、２３を巻回させる巻回空間が形成されることにより、コモンモードフィルタの鉄心本体１０がコイル２１、２２、２３を巻設する。
【０００３】
従来技術によるコモンモードフィルタは、鉄心本体１０にコイル２１、２２、２３を巻設するが、第１の側部１１の凸部１２、１３、１４および第２の側部１６の凸部１７、１８、１９の幅が同一であるため、コイル２１、２２、２３が鉄心本体１０を巻回する始まりまたは終わりが一周に満たなく、巻回空間を無駄にしてしまう。そのため、鉄心本体１０のサイズを大きくするなどの方法が採られたが、コモンモードフィルタの実用性が制限され、コストが増加してしまった。
【０００４】
以上のように、従来技術によるコモンモードフィルタは、各凸部の幅が同一であるため、巻回空間が浪費されてしまった。鉄心本体の巻回空間不足によりコモンモードフィルタの実用性が制限され、コストが増加してしまった。
【先行技術文献】
【特許文献】
【０００５】
【特許文献１】特開２０１１−３５３６４号公報
【考案の概要】
【考案が解決しようとする課題】
【０００６】
本考案の目的は、鉄心本体の巻回空間を増加させて実用性を向上させ、コストを削減するコモンモードフィルタを提供することにある。
【０００７】
上述の目的を達成するため、本考案は、コモンモードフィルタを提供する。本考案のコモンモードフィルタは、鉄心本体およびコイルユニットを含む。鉄心本体は、両方の端部に側部をそれぞれ設けている。各側部が第１の外側凸部、第２の外側凸部および少なくとも一つの中間凸部を設け、少なくとも一方の側部の中間凸部および第２の外側凸部の幅が第１の外側凸部より狭い。コイルユニットは、鉄心本体に巻設されている。
【考案の効果】
【０００８】
本考案のコモンモードフィルタは、各凸部の幅が異なるため、巻回空間を増加させ、十分に活用することができる。鉄心本体の巻回空間が十分で、実用性が向上し、コストを削減することができる。
【図面の簡単な説明】
【０００９】
【図１】従来技術によるコモンモードフィルタを示す図である。
【図２】本考案の第１の実施形態によるコモンモードフィルタを示す斜視図である。
【図３】本考案の第１の実施形態によるコモンモードフィルタを示す斜視図である。
【図４】本考案の第１の実施形態によるコモンモードフィルタを示す平面図である。
【図５】本考案の第２の実施形態によるコモンモードフィルタを示す斜視図である。
【図６】本考案の第２の実施形態によるコモンモードフィルタを示す平面図である。
【考案を実施するための形態】
【００１０】
以下、本考案の実施形態を図面に基づいて説明する。
【００１１】
図２および図３を参照する。図２は、本考案の第１の実施形態によるコモンモードフィルタを示す斜視図である。図３は、本考案の第１の実施形態によるコモンモードフィルタを示す斜視図である。図２および図３に示すように、本考案のコモンモードフィルタは、鉄心本体３０およびコイル４を含む。鉄心本体３０は、両方の端部に側部３１を設けている。側部３１は、第１の外側凸部３２、第２の外側凸部３３、中間凸部３４を設けている。鉄心本体３０は、少なくとも一方の側部３１の中間凸部３４および第２の外側凸部３３の幅が第１の外側凸部３２より狭く、第２の外側凸部３３および中間凸部３４の幅が同一である。側部３１の第１の外側凸部３２、第２の外側凸部３３、中間凸部３４の頂部にそれぞれ半田３５が配置されている。
【００１２】
コイルユニット４は、鉄心本体３０上に巻設されている。また、コイルユニット４は、第１のコイル４１、第２のコイル４２および少なくとも一つ第３のコイル４３を有する。第１のコイル４１は、鉄心本体３０上に巻設され、一方の端部が鉄心本体３０の側部３１の第１の外側凸部３２の半田３５に半田付けされ、もう一方の端部がもう一方の鉄心本体３０の側部３１の第２の外側凸部３３の半田３５に半田付けされている。第２のコイル４２は、鉄心本体３０上に巻設され、一方の端部が鉄心本体３０の側部３１の第２の外側凸部３３の半田３５に半田付けされ、もう一方の端部がもう一方の鉄心本体３０の側部３１の第１の外側凸部３２の半田３５に半田付けされている。少なくとも一つ第３のコイル４３は、一方の端部が鉄心本体３０の側部３１の中間凸部３４の半田３５に半田付けされ、もう一方の端部がもう一方の鉄心本体３０の側部３１の中間凸部３４の半田３５に半田付けされている。
【００１３】
図４を参照する。図４は、本考案の第１の実施形態によるコモンモードフィルタを示す平面図である。図４に示すように、本考案のコモンモードフィルタの鉄心本体３０は、少なくとも一つの側部３１の中間凸部３４の幅が第１の外側凸部３２より狭く、第２の外側凸部３３の幅が中間凸部３４と同一であるため、第１の外側凸部３２、第２の外側凸部３３および中間凸部３４の幅の差が鉄心本体３０の巻回空間を増加させることができる。これにより、コイルユニット４の各コイル巻回を十分にでき、従来技術のデッドスペース１０１の浪費が巻回空間を減少させていた欠点を解決することができ、デッドスペース３０１を大幅に縮小することができる。同じ大きさの鉄心本体３０でさらに多くの巻回空間を提供できるため、適用性が向上し、コストを削減することができる。
【００１４】
図５を参照する。図５は、本考案の第２の実施形態によるコモンモードフィルタを示す斜視図である。図５に示すように、本考案のコモンモードフィルタは、鉄心本体５０およびコイルユニット６を含む。鉄心本体５０は、両方の端部に側部５１を設けている。側部５１は、第１の外側凸部５２、第２の外側凸部５３、中間凸部５４を設けている。鉄心本体５０は、少なくとも一方の側部５１の中間凸部５４および第２の外側凸部５３の幅が第１の外側凸部５２より狭く、第２の外側凸部５３の幅が中間凸部５４より狭い。側部５１の第１の外側凸部５２、第２の外側凸部５３、中間凸部５４の頂部にそれぞれ半田５５が配置されている。
【００１５】
コイルユニット６は、鉄心本体５０上に巻設されている。また、コイルユニット６は、第１のコイル６１、第２のコイル６２および少なくとも一つ第３のコイル６３を有する。第１のコイル６１は、鉄心本体５０上に巻設され、一方の端部が鉄心本体５０の側部５１の第１の外側凸部５２の半田５５に半田付けされ、もう一方の端部がもう一方の鉄心本体５０の側部５１の第２の外側凸部５３の半田５５に半田付けされている。第２のコイル６２は、鉄心本体５０上に巻設され、一方の端部が鉄心本体５０の側部５１の第２の外側凸部５３の半田５５に半田付けされ、もう一方の端部がもう一方の５０の側部５１の第１の外側凸部５２の半田５５に半田付けされている。少なくとも一つ第３のコイル６３は、一方の端部が鉄心本体５０の側部５１の中間凸部５４の半田５５に半田付けされ、もう一方の端部がもう一方の鉄心本体５０の側部５１の中間凸部５４の半田５５に半田付けされている。
【００１６】
図６を参照する。図６は、本考案の第２の実施形態によるコモンモードフィルタを示す平面図である。図６に示すように、本考案のコモンモードフィルタの鉄心本体５０は、少なくとも一つの側部５１の中間凸部５４の幅が第１の外側凸部５２より狭く、第２の外側凸部５３の幅が中間凸部５４より狭いため、デッドスペース５０１を大幅に縮小し、鉄心本体５０の巻回空間を増加させることができる。
【００１７】
本考案のコモンモードフィルタは、各凸部の幅が異なるため、巻回空間を増加させ、十分に活用することができる。鉄心本体の巻回空間が十分で、実用性を向上させ、コストを削減することができる。
【００１８】
本考案では好適な実施形態を前述の通りに開示したが、これらは決して本考案を限定するものではなく、当該技術を熟知する者は誰でも、本考案の精神と領域を脱しない範囲内で各種の変更や修正を加えることができる。従って、本考案の保護の範囲は、実用新案請求の範囲で指定した内容を基準とする。
【符号の説明】
【００１９】
４  コイルユニット
６  コイルユニット
３０  鉄心本体
３１  側部
３２  第１の外側凸部
３３  第２の外側凸部
３４  中間凸部
３５  半田
４１  第１のコイル
４２  第２のコイル
４３  第３のコイル
５０  鉄心本体
５１  側部
５２  第１の外側凸部
５３  第２の外側凸部
５４  中間凸部
５５  半田
６１  第１のコイル
６２  第２のコイル
６３  第３のコイル
３０１  デッドスペース
５０１  デッドスペース
【図１】
0003178841.tif 000003
【図２】
0003178841.tif 000004
【図３】
0003178841.tif 000005
【図４】
0003178841.tif 000006
【図５】
0003178841.tif 000007
【図６】
0003178841.tif 000008